(57)【要約】【課題】ナットの緩みを抑制することができる蓄電装置及び蓄電モジュールを提供すること。【解決手段】二次電池１０は、正極端子４１の極柱部４４に接続可能なバスバー６０を極柱部４４に固定可能とするボルト６１と、極柱部４４の軸方向における、ナット５５とボルト６１との間に、ナット５５の極柱部４４の軸方向への移動を抑制する移動抑制部材７０と、を有する。移動抑制部材７０は、一方の面７０ａがナット５５のバスバー側端面５５ｃに接しているとともに他方の面７０ｂがバスバー６０の導通面６０ｂに接している。【選択図】図４
2014143012.tif 000002
【特許請求の範囲】
【請求項１】
ケースと、
前記ケース内に収容された電極組立体と、
前記電極組立体と電気を授受する電極端子と、を備えた蓄電装置であって、
前記電極端子は、前記ケースに形成された挿通孔より前記ケースから突出した極柱部を有し、かつ前記ケースの外側で前記極柱部の外周面に螺合されたナットにより前記ケースに固定され、
さらに、前記ケースの外側で前記極柱部に接続可能なバスバーを前記極柱部に固定可能とするバスバー固定部材と、
前記極柱部の軸方向における、前記ナットと前記バスバー固定部材との間に、前記ナットの前記極柱部の軸方向への移動を抑制する移動抑制部材と、を有し、
前記移動抑制部材は、前記極柱部の軸方向における一方の面が前記ナットに接しているとともに他方の面が前記バスバー又は前記バスバー固定部材に接していることを特徴とする蓄電装置。
【請求項２】
前記移動抑制部材は、高摩擦係数を有する弾性体である請求項１に記載の蓄電装置。
【請求項３】
前記移動抑制部材は、前記ナット、前記バスバー固定部材、及び前記バスバーの少なくともいずれか一つに係合されている請求項１又は請求項２に記載の蓄電装置。
【請求項４】
前記移動抑制部材は、前記ナットと前記バスバーの間に配設されている請求項１〜請求項３のうちいずれか一項に記載の蓄電装置。
【請求項５】
前記極柱部は筒状であり、該極柱部の外周に前記ナットが螺合される雄ねじ部を有するとともに、内周に前記バスバー固定部材が螺合可能な雌ねじ部を有し、前記雄ねじ部と前記雌ねじ部は逆ねじの関係にあり、前記移動抑制部材は、前記ナットと前記バスバー固定部材との間に配設されている請求項１〜請求項４のうちいずれか一項に記載の蓄電装置。
【請求項６】
前記蓄電装置は二次電池である請求項１〜請求項５のうちいずれか一項に記載の蓄電装置。
【請求項７】
複数の蓄電装置がバスバーにより互いに電気的に接続された蓄電モジュールであって、前記蓄電装置は請求項１〜請求項６のうちいずれか一項に記載の蓄電装置である蓄電モジュール。
【発明の詳細な説明】
【技術分野】
【０００１】
本発明は、ケースと、ケース内に収容された電極組立体と、電極組立体と電気を授受する電極端子と、を備えた蓄電装置、及び蓄電モジュールに関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池は、例えば、特許文献１に開示されている。図１０に示すように、特許文献１の単位電池８１は、電極群（図示せず）が内蔵されるケース８２と、ケース８２と結合されるキャップ組立体８３と、キャップ組立体８３の外側に突出する正極端子８４及び負極端子８５と、を備える。正極端子８４及び負極端子８５は、外周面に雄ねじを有するとともに、キャップ組立体８３の外側に突出している。正極端子８４及び負極端子８５の雄ねじには、端子固定用ナット８７が螺合され、この螺合によって正極端子８４及び負極端子８５がキャップ組立体８３に固定されている。
【０００３】
また、複数個の単位電池８１が連結されて電池モジュールが形成され、単位電池８１同士は、正極端子８４と負極端子８５が連結具９０によって電気的に連結されている。連結具９０は、締結部材９２と、この締結部材９２に締結されるナット９３を用いて正極端子８４及び負極端子８５に締結されている。締結部材９２は、外周面に連結具９０が係止されるフランジ９２ａを有するとともに、締結部材９２の外周面に雄ねじ山９２ｂを有し、この雄ねじ山９２ｂにナット９３が締結されている。また、締結部材９２は、内周面に雌ねじ孔９２ｃを有し、この雌ねじ孔９２ｃによって、締結部材９２は正極端子８４及び負極端子８５に取着されている。締結部材９２の取着状態において、正極端子８４及び負極端子８５の先端部と、この先端部に対向する雌ねじ孔９２ｃの内面との間には、スプリングワッシャ９４が設置され、正極端子８４及び負極端子８５から締結部材９２が離脱しないようになっている。
【先行技術文献】
【特許文献】
【０００４】
【特許文献１】特開２００６−１２８１１４号公報
【発明の概要】
【発明が解決しようとする課題】
【０００５】
ところで、特許文献１においては、単位電池８１や電池モジュールの振動等により、端子固定用ナット８７が緩む虞がある。
この発明は、上記従来技術に存在する問題点に着目してなされたものであり、その目的は、ナットの緩みを抑制することができる蓄電装置及び蓄電モジュールを提供することにある。
【課題を解決するための手段】
【０００６】
上記問題点を解決するために、請求項１に記載の蓄電装置は、ケースと、前記ケース内に収容された電極組立体と、前記電極組立体と電気を授受する電極端子と、を備えた蓄電装置であって、前記電極端子は、前記ケースに形成された挿通孔より前記ケースから突出した極柱部を有し、かつ前記ケースの外側で前記極柱部の外周面に螺合されたナットにより前記ケースに固定され、さらに、前記ケースの外側で前記極柱部に接続可能なバスバーを前記極柱部に固定可能とするバスバー固定部材と、前記極柱部の軸方向における、前記ナットと前記バスバー固定部材との間に、前記ナットの前記極柱部の軸方向への移動を抑制する移動抑制部材と、を有し、前記移動抑制部材は、前記極柱部の軸方向における一方の面が前記ナットに接しているとともに他方の面が前記バスバー又は前記バスバー固定部材に接していることを要旨とする。
【０００７】
これによれば、移動抑制部材によって、ナットがケースに向けて押し付けられ、ナットにおけるケースに向けた端面と、その端面が接触するケース側の壁面との間の摩擦力が高められている。このため、蓄電装置に伝達した振動により、ナットが極柱部から螺退する方向に回転しようとしても、移動抑制部材による押し付けによって、ナットが回転することが規制され、ナットが螺退する方向に回転することが抑制される結果、ナットの緩みを抑制できる。
【０００８】
また、前記移動抑制部材は、高摩擦係数を有する弾性体であるのが好ましい。
これによれば、バスバー固定部材によってバスバーを極柱部に固定する場合、バスバー固定部材のナットに向けた押し付けによって、バスバーが極柱部に押し付けられる。この押し付け時、移動抑制部材は弾性変形してバスバー固定部材の押し付けを許容するため、バスバーを極柱部に押し付けることが可能になる。また、移動抑制部材は、弾性変形した状態から原形状へ復帰するため、この復帰力によりナットをケース側の壁面に強く押し付けることができ、ナットの緩みを抑制できる。さらに、移動抑制部材が高摩擦係数を有するとともに弾性を有するため、移動抑制部材のナットに対する摩擦力が高まり、ナットに対して移動抑制部材が滑ることが抑制され、ナットをケース側の壁面に押し付けた状態を維持できる。
【０００９】
また、前記移動抑制部材は、前記ナット、前記バスバー固定部材、及び前記バスバーの少なくともいずれか一つに係合していてもよい。
これによれば、バスバー又はバスバー固定部材の回転が抑制された状態において、このバスバー又はバスバー固定部材に対し移動抑制部材が係合していれば、移動抑制部材が回転することが防止され、この移動抑制部材によって押し付けられたナットも螺退方向へ回転することが抑制される。
【００１０】
また、前記移動抑制部材は、前記ナットと前記バスバーの間に配設されていてもよい。
これによれば、極柱部にバスバーを接続した場合には、バスバーは別の蓄電装置の電極端子と連結されるため、バスバー自体が回転することはない。この回転しないバスバーに対し移動抑制部材の他方の面が接触しているため、ナットが螺退方向へ回転しようとしても移動抑制部材は回転せず、移動抑制部材によりナットをケース側の壁面に押し付けた状態を維持することができる。
【００１１】
また、前記極柱部は筒状であり、該極柱部の外周に前記ナットが螺合される雄ねじ部を有するとともに、内周に前記バスバー固定部材が螺合される雌ねじ部を有し、前記雄ねじ部と前記雌ねじ部は逆ねじの関係にあり、前記移動抑制部材は、前記ナットと前記バスバー固定部材との間に配設されていてもよい。
【００１２】
これによれば、ナットが螺退方向に回転しようとしたとき、移動抑制部材にもナットの螺退方向への力が作用する。すると、移動抑制部材の接しているバスバー固定部材は逆ねじの関係にあるため、バスバー固定部材には、雌ねじ部に対して螺進する方向への力が作用し、バスバー固定部材の緩みを抑制できる。
【００１３】
また、前記蓄電装置は二次電池である。
また、請求項７に記載の蓄電モジュールは、複数の蓄電装置がバスバーにより互いに電気的に接続された蓄電モジュールであって、前記蓄電装置は請求項１〜請求項６のうちいずれか一項に記載の蓄電装置である。
【００１４】
これによれば、ナットの緩みが抑制されるため、電極端子をケースに固定した状態を維持できる。このため、バスバーによる電極端子同士の連結を維持できる。
【発明の効果】
【００１５】
本発明によれば、ナットの緩みを抑制することができる。
【図面の簡単な説明】
【００１６】
【図１】第１の実施形態の二次電池を示す分解斜視図。
【図２】第１の実施形態の二次電池の外観を示す斜視図。
【図３】電極組立体の構成要素を示す斜視図。
【図４】（ａ）は正極端子周辺を示す断面図、（ｂ）は移動抑制部材周辺を拡大して示す図。
【図５】蓄電モジュールを示す斜視図。
【図６】第２の実施形態の二次電池の一部を示す分解斜視図。
【図７】正極端子周辺を示す断面図。
【図８】（ａ）は別例を示す分解斜視図、（ｂ）は正極端子周辺を示す断面図。
【図９】正極端子周辺の別例を示す断面図。
【図１０】背景技術を示す図。
【発明を実施するための形態】
【００１７】
（第１の実施形態）
以下、蓄電装置を二次電池に具体化した第１の実施形態を図１〜図５にしたがって説明する。
【００１８】
図１及び図２に示すように、二次電池１０において、金属製のケース１２には電極組立体２０が収容されている。ケース１２は、開口部１３ｄを有する直方体状のケース本体１３と、ケース本体１３の開口部１３ｄを閉塞する矩形平板状の蓋１４とからなる。ケース本体１３と蓋１４は、何れも金属製（例えば、ステンレスやアルミニウム）であり、ケース本体１３と蓋１４はレーザー溶接によって接合されている。ケース本体１３は、長方形状の底板１３ａと、底板１３ａの対向する一対の短側縁から立設された短側壁１３ｂと、底板１３ａの対向する一対の長側縁から立設された長側壁１３ｃとを備える。蓋１４は、所定の間隔をあけて並設された一対の挿通孔１４ｂを有する。また、本実施形態の二次電池１０は、その外周が角型をなす角型電池である。また、本実施形態の二次電池１０は、リチウムイオン電池である。
【００１９】
図３に示すように、電極組立体２０は、正極電極２１と負極電極２２と、を備えるとともに、正極電極２１と負極電極２２との間を絶縁するセパレータ２３を介在させて層状をなす積層体とされている。正極電極２１は、矩形状の正極用金属箔（本実施形態ではアルミニウム箔）２１ａと、その正極用金属箔２１ａの両面に形成された正極活物質層２１ｂとを有する。負極電極２２は、矩形状の負極用金属箔（本実施形態では銅箔）２２ａと、その負極用金属箔２２ａの両面に形成された負極活物質層２２ｂとを有する。
【００２０】
正極電極２１は、その一辺（長辺）の一部に正極集電タブ３１を有する。負極電極２２の一辺（長辺）の一部に負極集電タブ３２を有する。電極組立体２０を構成する正極電極２１は、それぞれの正極集電タブ３１が積層方向に沿って列状に配置されるように積層される。同様に、電極組立体２０を構成する負極電極２２は、それぞれの負極集電タブ３２が、正極集電タブ３１と重ならないように積層方向に沿って列状に配置されるように積層される。そして、複数の正極集電タブ３１は、電極組立体２０における積層方向の一端から他端までの範囲に集められる。また、複数の負極集電タブ３２も同様に、電極組立体２０における積層方向の一端から他端までの範囲に集められる。
【００２１】
図１に示すように、電極組立体２０は、正極集電タブ３１を集めてなる正極タブ群４５を備える。この正極タブ群４５の少なくとも最外の正極集電タブ３１が、正極導電部材３３と溶接されている。また、電極組立体２０は、負極集電タブ３２を集めてなる負極タブ群４６を備える。この負極タブ群４６の少なくとも最外の負極集電タブ３２が負極導電部材３７と溶接されている。
【００２２】
図１及び図４（ａ）に示すように、正極導電部材３３及び負極導電部材３７は、四角板状をなす端子接続部３４を有する。端子接続部３４において、後述の電極端子としての正極端子４１又は負極端子４２が溶接される面を第１面３４ａとし、第１面３４ａと反対側の面を第２面３４ｂとする。正極導電部材３３及び負極導電部材３７は、第２面３４ｂから第１面３４ａに向けて立ち上がる立上げ部３５を有するとともに、端子接続部３４から離れる方向に向けて立上げ部３５から延びるタブ溶接部３６を有し、タブ溶接部３６は矩形板状である。
【００２３】
正極導電部材３３の端子接続部３４には正極端子４１が溶接されるとともに、負極導電部材３７の端子接続部３４には負極端子４２が溶接されている。正極端子４１、及び負極端子４２は、それぞれ電極組立体２０と電気を授受する。正極端子４１及び負極端子４２は、それぞれ四角板状をなす基部４３を有するとともに、この基部４３の平面形状は、各端子接続部３４における第１面３４ａの平面形状とほぼ同じである。そして、基部４３において、蓋１４の内面１４ａに対向する面を座面４３ａとするとともに、基部４３の厚み方向に座面４３ａと反対側の面を組立体側端面４３ｂとする。
【００２４】
基部４３の中央からは円筒状の極柱部４４が立設され、座面４３ａは極柱部４４を取り囲んでいる。極柱部４４は、外周面に雄ねじ部４４ａを有するとともに、内周面に雌ねじ部４４ｂを有する。雄ねじ部４４ａと雌ねじ部４４ｂは逆ねじの関係である。
【００２５】
図１に示すように、基部４３には、樹脂製の端子カバー５０が装着されている。端子カバー５０は、基部４３の座面４３ａと、蓋１４の内面１４ａとの間に配置される蓋側絶縁板５１を備える。蓋側絶縁板５１は、極柱部４４が挿入される挿入部５１ａを有し、蓋側絶縁板５１の内周縁は円弧状である。また、蓋側絶縁板５１は、挿入部５１ａを蓋側絶縁板５１の一側方に開口させる切れ込み状の連通部５１ｂを有し、挿入部５１ａと連通部５１ｂによって蓋側絶縁板５１は平面視Ｕ字状となっている。蓋側絶縁板５１は、その内側縁に、連通部５１ｂを挟んで対向し、かつ連通部５１ｂに向けて突出する突部５１ｃを有する。
【００２６】
蓋側絶縁板５１は、その端縁のうち、挿入部５１ａを挟んだ連通部５１ｂと反対側に位置する端縁にケース側絶縁板５２を備え、このケース側絶縁板５２は蓋１４から離れる方向に向けて延びている。ケース側絶縁板５２は矩形板状であり、蓋側絶縁板５１に対し垂直に延びている。ケース側絶縁板５２において、蓋１４から離れた側の先端には、組立体側絶縁板５３が蓋側絶縁板５１と同じ方向に向けて、かつ組立体側端面４３ｂに沿って延設されている。ケース側絶縁板５２は矩形板状に形成されている。上記構成の端子カバー５０は、正極端子４１及び負極端子４２に対し、ケース本体１３の短側壁１３ｂ側から装着されている。
【００２７】
図４（ａ）に示すように、蓋側絶縁板５１の挿入部５１ａには極柱部４４が挿入され、蓋側絶縁板５１が極柱部４４のほぼ全周を取り囲んでいる。また、蓋側絶縁板５１は基部４３の座面４３ａ上に支持されている。基部４３の座面４３ａ上には、シール部材としてのＯリング５６が極柱部４４を取り囲む状態に設けられている。Ｏリング５６は、蓋側絶縁板５１の挿入部５１ａ内に配置されるとともに、Ｏリング５６は、ほぼ全周が蓋側絶縁板５１によって取り囲まれている。すなわち、Ｏリング５６は、連通部５１ｂと対向する部位以外は、蓋側絶縁板５１の内周縁によって取り囲まれ、蓋側絶縁板５１によって極柱部４４の外周に位置する状態に位置決めされている。組立体側絶縁板５３は、基部４３の組立体側端面４３ｂより電極組立体２０側に配置されるとともに、座面４３ａと反対側の組立体側端面４３ｂに沿って延びている。また、組立体側絶縁板５３は、基部４３と電極組立体２０との間に介装されている。
【００２８】
そして、端子カバー５０における蓋側絶縁板５１により、蓋１４と正極端子４１及び負極端子４２が電気的に絶縁されている。また、ケース側絶縁板５２により、ケース本体１３と、正極端子４１及び負極端子４２とが電気的に絶縁されている。さらに、組立体側絶縁板５３により、電極組立体２０と正極端子４１及び負極端子４２とが電気的に絶縁されている。
【００２９】
蓋側絶縁板５１の挿入部５１ａに挿入された極柱部４４は、蓋１４の挿通孔１４ｂよりケース１２の外部に突出（露出）している。そして、正極端子４１及び負極端子４２の基部４３は、極柱部４４の両端部のうちケース１２内に位置する端部に設けられている。また、基部４３は、ケース１２の壁部としての蓋１４と平行な断面積が、挿通孔１４ｂの面積よりも大きく設定されている。このため、基部４３は、ケース１２の内側で挿通孔１４ｂから抜け出し不能になっている。蓋１４の挿通孔１４ｂの内周面と、極柱部４４の外周面とは、絶縁部材１９によって絶縁されている。
【００３０】
絶縁部材１９は、筒状部２４と、この筒状部２４の軸方向一端縁に設けられたフランジ部２５と、を有する。筒状部２４は、挿通孔１４ｂの内周面と、極柱部４４の外周面との間に介装されている。フランジ部２５は、蓋１４の外面１４ｃにおいて挿通孔１４ｂの周囲に係止されている。
【００３１】
極柱部４４の雄ねじ部４４ａにはナット５５が螺合され、極柱部４４にナット５５が取着されている。蓋１４の外面１４ｃと、ナット５５における蓋側端面５５ａとの間には、絶縁部材１９のフランジ部２５が挟圧され、フランジ部２５によってナット５５と蓋１４が絶縁されている。なお、フランジ部２５は、ナット５５の外周形状を形成する外周面５５ｂよりも径方向外側にはみ出しており、フランジ部２５上にナット５５の蓋側端面５５ａ全体が接触している。よって、本実施形態では、絶縁部材１９のフランジ部２５が、ナット５５が押し付けられるケース１２側の壁面に相当する。
【００３２】
そして、ナット５５が極柱部４４に螺合されることによって、ナット５５と基部４３との間に、フランジ部２５、蓋１４、Ｏリング５６及び蓋側絶縁板５１が狭圧されるとともに正極端子４１及び負極端子４２が蓋１４に固定されている。この固定状態では、Ｏリング５６は、圧縮状態で蓋１４の内面１４ａ及び基部４３の座面４３ａに密接し、挿通孔１４ｂの周囲をシールしている。
【００３３】
図５に示すように、各二次電池１０は、正極端子４１が隣り合う二次電池１０の負極端子４２に、負極端子４２が隣り合う二次電池１０の正極端子４１にそれぞれバスバー６０を介して接続され、接続された複数の二次電池１０によって蓄電モジュール７１が構成されている。
【００３４】
図１及び図４（ａ）に示すように、二次電池１０同士を電気的に接続するバスバー６０は、矩形板状であり、一対の挿通部６０ａを有する。バスバー６０において、厚み方向の一方の面全体を導通面６０ｂとし、導通面６０ｂとは厚み方向に反対側の面である他方の面全体を押圧面６０ｃとする。
【００３５】
極柱部４４の雌ねじ部４４ｂには、バスバー固定部材としてのボルト６１が螺合され、このボルト６１によってバスバー６０が極柱部４４に固定されている。ボルト６１は、雌ねじ部４４ｂに螺合するボルトねじ部６１ａと、ボルトねじ部６１ａの軸方向一端の頭部６１ｂとを有する。そして、ボルト６１の頭部６１ｂによって、バスバー６０の押圧面６０ｃが極柱部４４に向けて押圧されるとともに、導通面６０ｂにおける挿通部６０ａの周囲が極柱部４４の先端面に押し付けられて面接触しバスバー６０と正極端子４１又は負極端子４２は導通している。
【００３６】
ナット５５において、その厚み方向における蓋側端面５５ａと反対側の端面を、バスバー側端面５５ｃとする。バスバー側端面５５ｃと、バスバー６０における導通面６０ｂとの間には、移動抑制部材７０が配設されている。移動抑制部材７０は円環状である。また、移動抑制部材７０は、高摩擦係数材料製の弾性体であり、具体的にはゴム製である。移動抑制部材７０は弾性変形可能である。移動抑制部材７０は円形状の貫通孔７０ｃを備える。
【００３７】
図４（ｂ）に示すように、移動抑制部材７０は、貫通孔７０ｃに極柱部４４が挿通された状態で、ナット５５のバスバー側端面５５ｃと、バスバー６０の導通面６０ｂとの間に厚み方向に圧縮された状態で配設されている。また、移動抑制部材７０は、厚み方向の一方の面７０ａが、ナット５５のバスバー側端面５５ｃに面接触した状態で圧接し、他方の面７０ｂが、バスバー６０の導通面６０ｂに面接触した状態で圧接している。よって、極柱部４４の軸方向において、バスバー６０とナット５５の間に移動抑制部材７０が配設されている。
【００３８】
次に、二次電池１０の作用について記載する。
蓄電モジュール７１は種々の用途に使用されるが、例えば、電気自動車やハイブリッド自動車等の車両に搭載されて、走行用モータ等の電源として使用される。車両に搭載された蓄電モジュール７１には、車両の走行中に車両の振動が蓄電モジュール７１を構成する各二次電池１０に伝わる。特にフォークリフト等の産業車両においては乗用車と異なりサスペンションがないため振動が激しい。
【００３９】
車両の振動が正極端子４１及び負極端子４２に伝達し、ナット５５に対し雄ねじ部４４ａから螺退する方向への力が作用するときがある。このとき、ナット５５のバスバー側端面５５ｃには、移動抑制部材７０の一方の面７０ａが押し付けられ、ナット５５はフランジ部２５に押し付けられている。このため、ナット５５が螺退する方向に回転することが抑制され、ナット５５が緩むことが抑制される。
【００４０】
上記実施形態によれば、以下のような効果を得ることができる。
（１）ナット５５とバスバー６０との間に移動抑制部材７０が配設され、移動抑制部材７０の一方の面７０ａは、ナット５５のバスバー側端面５５ｃに押し付けられ、他方の面７０ｂが、バスバー６０の導通面６０ｂに押し付けられている。このため、移動抑制部材７０によって、ナット５５がフランジ部２５に押し付けられ、ナット５５とフランジ部２５との間の摩擦力が高められている。よって、蓄電モジュール７１に振動が伝達してもナット５５が螺退方向へ回転することが規制され、ナット５５が緩むことが抑制される。
【００４１】
（２）バスバー６０と極柱部４４とを導通させるために、バスバー６０は極柱部４４の先端面に押し付けられている。この押し付けを可能にするため、極柱部４４の先端面より低い位置にナット５５が配置されている。そして、このナット５５とバスバー６０の間を埋めるように移動抑制部材７０が設けられ、この移動抑制部材７０によってナット５５の緩みが抑制されている。よって、バスバー６０と極柱部４４を確実に導通させながらナット５５の緩みを抑制できる。
【００４２】
（３）バスバー６０と極柱部４４の先端面とは、バスバー６０が極柱部４４に押圧された状態で面接触している。この場合、極柱部４４とバスバー６０との間の電気抵抗が低くなる。
【００４３】
（４）移動抑制部材７０は、ゴム製であり、高摩擦係数を有し、弾性変形可能である。このため、ボルト６１を極柱部４４に螺合し、バスバー６０を極柱部４４の先端に押し付けたとき、移動抑制部材７０は厚み方向に圧縮するように弾性変形する。このため、移動抑制部材７０の原形状への復帰力によりナット５５及びバスバー６０に対する移動抑制部材７０の押し付け力が高まり、結果として摩擦力も高まることから、ナット５５及びバスバー６０に対し、移動抑制部材７０が滑ることが防止できる。その結果として、移動抑制部材７０によってナット５５を蓋１４側に押し付けた状態を維持でき、ナット５５の緩みを抑制できる。
【００４４】
（５）蓄電モジュール７１においては、バスバー６０は、別の二次電池１０の正極端子４１又は負極端子４２と連結されるため、バスバー６０自体が回転することはない。この回転しないバスバー６０の導通面６０ｂに対し移動抑制部材７０の他方の面７０ｂが押し付けられているため、ナット５５が螺退しようとしても移動抑制部材７０は回転せず、ナット５５をフランジ部２５に押し付けた状態を維持することができる。
【００４５】
（６）移動抑制部材７０はゴム製であることから、ナット５５とバスバー６０の間で圧縮されると、移動抑制部材７０がバスバー側端面５５ｃ及び導通面６０ｂの微細な凹凸に対応して変形する。このため、移動抑制部材７０と、ナット５５及びバスバー６０との間の摩擦力を高め、移動抑制部材７０をより滑りにくくすることができる。
【００４６】
（第２の実施形態）
次に、蓄電装置を二次電池に具体化した第２の実施形態を図６及び図７にしたがって説明する。なお、以下の説明では、第１の実施形態と同一構成について同一符号を付すなどし、その重複する説明を省略又は簡略する。
【００４７】
図６に示すように、第２の実施形態における移動抑制部材７２は、コ字状である。また、バスバー６０は、第１の実施形態と比べて、短手方向への長さが短くなっているとともに、厚みがバスバー６０よりも厚くなっている。図７に示すように、移動抑制部材７２は、バスバー６０の外周側に配置されている。そして、移動抑制部材７２は、極柱部４４の軸方向における、ナット５５とボルト６１の頭部６１ｂとの間に介装されている。移動抑制部材７２は、厚み方向の一方の面７２ａが、ナット５５のバスバー側端面５５ｃに面接触した状態で押し付けられ、他方の面７２ｂが、ボルト６１における頭部６１ｂに面接触した状態で押し付けられている。
【００４８】
したがって、第２の実施形態によれば、以下のような効果を得ることができる。
（７）ナット５５が螺合される極柱部４４の雄ねじ部４４ａと、ボルト６１が螺合される極柱部４４の雌ねじ部４４ｂは逆ねじの関係にある。このため、ナット５５に対し、螺退する方向に力が作用したとき、移動抑制部材７２にはナット５５の螺退方向への力が作用する。すると、移動抑制部材７２の接しているボルト６１には、雌ねじ部４４ｂに対し螺進する方向への力が作用し、ボルト６１の緩みを抑制できる。
【００４９】
なお、上記実施形態は以下のように変更してもよい。
○  図８（ａ）に示すように、バスバー６０の導通面６０ｂに係合凹部６０ｄを形成するとともに、ナット５５のバスバー側端面５５ｃに係合凹部５５ｄを形成する。一方、移動抑制部材７０において、一方の面７０ａ及び他方の面７０ｂに、係合凸部７０ｄを形成する。
【００５０】
図８（ｂ）に示すように、ナット５５とバスバー６０の間に移動抑制部材７０が介装された状態で、各係合凹部５５ｄ，６０ｄに、係合凸部７０ｄを係合させてもよい。このように構成すると、移動抑制部材７０に対し、ナット５５及びバスバー６０が回転することが防止される。このため、ナット５５が螺退方向に回転しようとしても、移動抑制部材７０はナット５５に対し滑らないし、バスバー６０に対しても移動抑制部材７０は滑らない。このため、移動抑制部材７０によってナット５５を蓋１４側に押し付けた状態が維持できる。
【００５１】
なお、ナット５５及びバスバー６０のうちいずれか一方のみに係合凹部を設け、係合凹部に対応して移動抑制部材７０に係合凸部７０ｄを形成してもよい。また、第２の実施形態において、ナット５５及び移動抑制部材７２の少なくとも一方に係合凹部を設け、その係合凹部に対応して移動抑制部材７２に係合凸部を設けてもよい。
【００５２】
○  ナット５５の蓋側端面５５ａを粗面加工して、絶縁部材１９のフランジ部２５との間に生じる摩擦力を高め、ナット５５を緩みにくい構成としてもよい。また、ナット５５のバスバー側端面５５ｃを粗面加工して、移動抑制部材７０，７２との間に生じる摩擦力を高め、ナット５５に対し移動抑制部材７０，７２が滑りにくい構成としてもよい。
【００５３】
○  第１の実施形態において、バスバー６０の導通面６０ｂを粗面加工して移動抑制部材７０が滑り難い構成としてもよいし、第２の実施形態において、ボルト６１における頭部６１ｂを粗面加工して移動抑制部材７０が滑り難い構成としてもよい。
【００５４】
○  バスバー６０の極柱部４４への固定は、図９に示す形態としてもよい。正極端子４１又は負極端子４２の極柱部４４にナット５５が螺合されるとともに、絶縁部材１９のフランジ部２５にナット５５が支持されている。このナット５５上にバスバー６０を支持させるとともに、極柱部４４にバスバー固定部材としてのナット５７を螺合して、バスバー６０を極柱部４４に固定する。このとき、極柱部４４の軸方向におけるナット５５，５７の間で、かつバスバー６０の外側には移動抑制部材７０が介装されている。
【００５５】
○  移動抑制部材７０，７２はゴム製でなくてもよく、例えば樹脂製であってもよい。
○  各実施形態では、シール部材としてＯリング５６に具体化したが、環状のガスケットや円環状以外の環状シール部材に変更してもよい。
【００５６】
○  実施形態では、挿通孔１４ｂを蓋１４に形成したが、ケース１２におけるケース本体１３に挿通孔を形成し、ケース本体１３から極柱部４４を突出させてもよい。
○  電極組立体２０を構成する正極電極２１、及び負極電極２２の枚数は適宜変更してもよい。
【００５７】
○  電極組立体２０は、帯状の正極電極２１と負極電極２２との間に帯状のセパレータ２３を介在させて、これらを捲回軸周りに渦捲き状に捲回して構成された捲回型としてもよい。
【００５８】
○  ケース１２の形状は、円柱状や、楕円柱状に形成してもよい。
○  蓄電装置はニッケル水素二次電池や、電気二重層キャパシタとして具体化してもよい。
【符号の説明】
【００５９】
１０…蓄電装置としての二次電池、１２…ケース、１４ｂ…挿通孔、２０…電極組立体、４１…電極端子としての正極端子、４２…電極端子としての負極端子、４４…極柱部、４４ａ…雄ねじ部、４４ｂ…雌ねじ部、５５，５７…ナット、５５ｂ…外周面、５７…バスバー固定部材としてのナット、６０…バスバー、６１…バスバー固定部材としてのボルト、７０，７２…移動抑制部材、７０ａ，７２ａ…一方の面、７０ｂ，７２ｂ…他方の面、７１…蓄電モジュール。
【図１】
2014143012.tif 000003
【図２】
2014143012.tif 000004
【図３】
2014143012.tif 000005
【図４】
2014143012.tif 000006
【図５】
2014143012.tif 000007
【図６】
2014143012.tif 000008
【図７】
2014143012.tif 000009
【図８】
2014143012.tif 000010
【図９】
2014143012.tif 000011
【図１０】
2014143012.tif 000012